(57)【要約】【課題】  畜産農場から流出する畜舎・鶏舎洗浄水、放牧場排水に含まれる人畜共通感染症病原微生物であるクリプトスポリジウムを除去する方法を提供する。【解決手段】  畜産農場から流出する畜舎・鶏舎洗浄水、放牧場排水を一般的な沈殿分離槽に通してきょう雑物を除去したのち、その排水を原水ポンプでアルカリ接触槽に送る。アルカリ接触槽において水酸化カルシウムまたは酸化カルシウムを水量の０．１〜０．３％加え、攪拌して溶解させる。溶解後１０〜１２０分静置し、上澄みを炭酸カルシウム形成槽に送り、炭酸ガスの吹き込みを溶液のｐＨが７．０〜８．６の範囲になるまでおこなって、溶液の中和と炭酸カルシウムの形成を促す。その際、クリプトスポリジウムが炭酸カルシウムに吸着され沈殿するので、１０〜１２０分の静置後、上澄みを放流する。【選択図】図１
2009172565.tif 000002
【特許請求の範囲】
【請求項１】
クリプトスポリジウムを含む排水に水酸化カルシウムまたは酸化カルシウムを投入し溶解させた後、炭酸ガスを吹き込んで中和すると同時に炭酸カルシウムを形成させて、排水中のクリプトスポリジウムを炭酸カルシウムに吸着させ、排水中から除去する排水の処理方法。
【請求項２】
水酸化カルシウムまたは酸化カルシウムの排水への投入量が、排水量当たり０．１〜０．３％である請求項１記載の排水の処理方法。
【請求項３】
吹き込む炭酸ガス濃度は１０〜１００％である請求項１記載の排水の処理方法。
【請求項４】
炭酸ガスを吹き込んで中和したときのｐＨは、７．０〜８．６である請求項１または３記載の排水の処理方法。
【発明の詳細な説明】
【技術分野】
【０００１】  本発明は、畜産農場から流出する畜舎・鶏舎洗浄水、放牧場排水に含まれる可能性のあるクリプトスポリジウムを除去するための排水の処理方法に関する。
【背景技術】
【０００２】  クリプトスポリジウムは、胞子虫類に属し、腸管系に寄生する原虫である。環境中ではオーシストと呼ばれる嚢包体の形で存在し、増殖することはないが、オーシストが人、牛などの動物に経口的に摂取されると、消化管の細胞に寄生して増殖する。クリプトスポリジウムに感染すると、腹痛を伴う水溶性下痢が３日から１週間程度続く。健康な人の場合には免疫機構が働き自然治癒するが、感染に対する抵抗力のない人の場合には重篤になる。また現在のところクリプトスポリジウムについての有効な治療薬は見つかっていない。【０００３】  クリプトスポリジウムは、畜産農場の家畜にも一定の割合で常在していることが知られており、畜舎・鶏舎の洗浄排水や放牧場からの排水には、クリプトスポリジウムが含まれる可能性があるため対策が求められている。【０００４】  排水中の微生物の殺菌方法としては、通常塩素系殺菌剤が使用されるが、クリプトスポリジウムは塩素系殺菌剤に耐性があるため、その他の方法が必要になっている。【０００５】  主に浄水場や下水処理場、汚水処理施設を想定した対策として、凝集剤の利用（例えば、特許文献１）や細かい膜によるろ過（例えば、特許文献２）、紫外線の照射（例えば、特許文献３）、オゾンとの接触、（例えば、特許文献４）、加圧（特許文献５）、加熱（特許文献６）が提案されている。
【特許文献１】  特開２００４−１９９２４８号  広報
【特許文献２】  特開２００３−５３１６４号  広報
【特許文献３】  特開２００４−２４９２０７号  広報
【特許文献４】  特開２０００−８４５７７号  広報
【特許文献５】  特開２０００−２３６８５７号  広報
【特許文献６】  特開２００５−２７０８２９号  広報
【発明の開示】
【発明が解決しようとする課題】
【０００６】  しかし、畜産農場のような浄水や排水処理の専門部門のない事業所の場合に適用できる簡易な技術は見当たらない。【０００７】  本発明は、畜産農場で採用できるような簡易な方法で畜舎・鶏舎の洗浄排水、放牧場排水に含まれる可能性のあるクリプトスポリジウムを除去するための排水の処理方法を提供することを課題とする。
【課題を解決するための手段】
【０００８】  畜産農場から流出する畜舎・鶏舎の洗浄排水、放牧場排水に、水酸化カルシウムまたは酸化カルシウムを投入し溶解させた後、炭酸ガスを吹き込んで中和すると同時に炭酸カルシウムを形成させて、排水中のクリプトスポリジウムを吸着除去する方法。【０００９】  排水に投入する水酸化カルシウムまたは酸化カルシウムの投入量は、排水量当たり０．１〜０．５％とする方法。【００１０】  溶解した水酸化カルシウム溶液に吹き込む炭酸ガス濃度は、１０〜１００％とする方法。【００１１】  炭酸ガスを吹き込んで中和したときのｐＨは、７．０〜８．６とする方法。
【発明の効果】
【００１２】  本発明の処理方法が適用できる排水は、畜舎、鶏舎の洗浄水、放牧場排水などが挙げられる。このような排水に含まれる可能性のある感染症病原菌としては、病原性大腸菌やサルモネラやクリプトスポリジウムなどがあり、これらは人畜共通の感染症病原菌として知られている。【００１３】  なかでもクリプトスポリジウムは塩素系殺菌剤に耐性があるため、殺菌剤によらない新たな対策が求められている。【００１４】  本発明によれば、畜産農場から流出する畜舎・鶏舎の洗浄水、放牧場排水に含まれるクリプトスポリジウムを簡便な方法で削減することを可能とする。
【発明を実施するための最良の形態】
【００１５】  以下、本発明の実施の形態を図１に基づいて説明する。【００１６】  畜産農場の排水路付近に沈殿分離槽１、アルカリ接触槽４、炭酸カルシウム形成槽９の３つの水槽を配置する。【００１７】  畜産農場からの排水が沈殿分離槽１を経てアルカリ接触槽４に流入したところで、水酸化カルシウムまたは酸化カルシウムを投入する。【００１８】  投入する物質が酸化カルシウムの場合には、下式に示すように水と反応して直ちに水酸化カルシウムに変化する。本発明において用いられる水酸化カルシウムまたは酸化カルシウムの品質、形状は問わないが、溶解のしやすい形状である粒状または粉状のものが望ましい。
【化１】
2009172565.tif 000003
【００１９】  排水に投入する水酸化カルシウムまたは酸化カルシウムの量は、排水に対して重量で０．１〜０．３％が望ましいが、水酸化カルシウムの溶解度は水の場合で０．１６〜０．１７％程度なので、それ以上に投入した水酸化カルシウムは懸濁状態となる。【００２０】  投入後、酸化カルシウムまたは水酸化カルシウムが溶解するまで攪拌機６で攪拌をおこなう。【００２１】  攪拌終了後、１０〜１２０分の静置時間を経て次の炭酸カルシウム形成槽９に、移送ポンプ７、移送管８を用いて上澄み液を送る。【００２２】  炭酸カルシウム形成槽９にアルカリ接触槽からの上澄み水が充たされたところで、炭酸ガスボンベ１０のバルブを開き、槽底部に設置した炭酸ガス散気管１１から炭酸ガスの散気を行う。【００２３】  炭酸カルシウム形成槽９では、下記の量論式に示す反応がおこなわれ、炭酸カルシウムの形成とアルカリの中和がされる。
【化２】
2009172565.tif 000004
【００２４】  吹き込む炭酸ガスの濃度は、１０〜１００％のものが使用できるが、吹き込む炭酸ガスの量は、炭酸カルシウム形成槽９に備えたｐＨメーター１２にて、値が７．０〜８．６の範囲を示すまで吹き込むことが望ましい。【００２５】  炭酸ガスの吹き込み後、１０〜１２０分の静置時間を経た後、形成した炭酸カルシウムが沈殿するので、放流ポンプ１３を用いて上澄みを放流する。【００２６】  なお炭酸カルシウム形成槽９の底部はすり鉢状になっており、沈殿物は効率よく底部に沈殿する構造になっている。【００２７】  アルカリ接触槽４、炭酸カルシウム形成槽９に残留した沈殿物は、取り出して天日などで乾燥させた後農地などで活用する。
【図面の簡単な説明】
【００２８】
【図１】  本発明の排水の処理方法を実施するのに好適な装置の一例を示すフロー図である。
【符号の説明】
【００２９】  １  沈殿分離槽
２  原水投入ポンプ
３  原水投入管
４  アルカリ接触槽
５  水酸化カルシウム懸濁液
６  攪拌器
７  移送ポンプ
８  移送管
９  炭酸カルシウム形成槽
１０  炭酸ガスボンベ
１１  炭酸ガス散気管
１２  ｐＨメーター
１３  放流ポンプ
１４  放流管
【図１】
2009172565.tif 000005